(57)【要約】【課題】就寝前に毎回スリープモードを設定することなく、常にスリープモードに設定しておくことができる放送受信装置を提供する。  【解決手段】放送する番組と番組情報を受信する受信手段１１と、番組情報を抽出する番組情報抽出手段１２と、周囲の明るさが予め設定しておいた明るさ検出基準値であるかを検出する明るさ検出手段２６と、予め設定したタイマー時間の経過を監視するタイマー時間経過監視手段２６を備えた放送受信装置１において、明るさ検出手段２６により周囲が所定の明るさとなり、スリープモードが設定されている番組が視聴されているときに、タイマー時間経過監視手段２６によりタイマー時間が経過したときに放送受信装置１の電源オフを行うようにする。【選択図】図１
2009118336.tif 000002
【特許請求の範囲】
【請求項１】
予め設定した時間で電源をオフ動作させるスリープモードが設定可能な放送受信装置において、
周囲の明るさを検出する明るさ検出手段と、
予め設定したタイマー時間で電源をオフ動作させるタイマーと、
放送番組の番組情報を受信する受信手段と、
前記明るさ検出手段で検出した明るさが所定の明るさ以下になり、現在視聴中の番組情報として所定の番組情報が検知されたとき前記タイマーの動作を開始する制御手段を備えたことを特徴とする放送受信装置。
【請求項２】
前記制御手段は、
番組にスリープモードを設定することができる番組スリープモード設定手段と、
視聴されている番組にスリープモードが設定されているかを判定する番組スリープモード設定判定手段を備え、
前記明るさ検出手段により周囲が所定の明るさ以下となり、且つ前記番組スリープモード設定判定手段により前記スリープモードが設定されている番組が視聴されているときに、前記タイマーの経過時間が前記タイマー時間に達したとき電源をオフすることを特徴とする請求項１に記載の放送受信装置。
【請求項３】
前記制御手段は、
番組のジャンルにスリープモードを設定することができる番組ジャンルスリープモード設定手段と、
視聴されている番組のジャンルにスリープモードが設定されているかを判定する番組ジャンルスリープモード設定判定手段を備え、
前記明るさ検出手段により周囲が所定の明るさ以下となり、且つ前記番組ジャンルスリープモード設定判定手段により前記スリープモードが設定されている番組のジャンルが視聴されているときに、前記タイマーの経過時間が前記タイマー時間に達したとき電源をオフすることを特徴とする請求項１に記載の放送受信装置。
【請求項４】
前記制御手段は、
外部装置にスリープモードを設定することができる外部装置スリープモード設定手段と、
外部接続され映像再生している外部装置にスリープモードが設定されているかを判定する外部装置スリープモード設定判定手段を備え、
前記明るさ検出手段により周囲が所定の明るさ以下となり、且つ外部接続された映像再生中の前記外部装置にスリープモードが設定されていると判定されたときに、前記タイマーの経過時間が前記タイマー時間に達したとき電源をオフすることを特徴とする請求項１に記載の放送受信装置。
【請求項５】
前記明るさ検出手段で検出した明るさが所定の明るさ以下になったとき、前記スリープモードが設定されていないときは、視聴されている番組または外部接続された映像再生が終了するときに電源オフすることを特徴とする請求項１から請求項４のいずれか一項に記載の放送受信装置。
【請求項６】
前記タイマーを開始するかを設定するスリープモード移行確認設定手段を備えたことを特徴とする請求項１または請求項４のいずれか一項に記載の放送受信装置。
【請求項７】
予め決められた所定の時間以内において前記スリープモード移行確認設定手段に前記タイマーを開始する設定がされたとき、または予め決められた所定の時間以内に前記タイマーを開始する設定がされないときに、前記タイマーを開始することを特徴とする請求項６に記載の放送受信装置。
【請求項８】
予め決められた所定の時間以内において前記スリープモード移行確認設定手段に前記タイマーを開始しない設定がされたときは、視聴されている番組または外部接続された映像再生が終了するときに電源オフすることを特徴とする請求項６に記載の放送受信装置。
【請求項９】
前記タイマーをキャンセルするキャンセル手段を備え、
前記タイマーを前記キャンセル手段によりキャンセルすることで、前記タイマーの経過時間が前記タイマー時間に達したときでも電源をオフしないことを特徴とする請求項１から請求項８のいずれか一項に記載の放送受信装置。
【請求項１０】
前記キャンセル手段により前記タイマーがキャンセルされたときは、視聴されている番組または外部接続された映像再生が終了するときに電源オフすることを特徴とする請求項９に記載の放送受信装置。
【請求項１１】
視聴されている番組または外部接続された映像再生が終了するときに、電源オフするかを設定する電源オフ確認設定手段を備えたことを特徴とする請求項５または請求項８または請求項１０のいずれか一項に記載の放送受信装置。
【請求項１２】
予め決められた所定の時間以内に前記電源オフ確認設定手段に電源オフを行う設定がされたとき、または予め決められた所定の時間以内に電源オフを行う設定がされないときは、視聴されている番組または外部接続された映像再生が終了したときに、電源オフを行うことを特徴とする請求項１１に記載の放送受信装置。
【請求項１３】
予め決められた所定の時間以内に前記電源オフ確認設定手段に電源オフを行わない設定がされたときは、視聴されている番組または外部接続された映像再生が終了の後に視聴されている番組または外部接続された映像再生が終了したときに電源オフを行うかを確認することを特徴とする請求項１１に記載の放送受信装置。
【請求項１４】
予め設定した時間で電源をオフ動作させるスリープモードが設定可能な放送受信装置の電源オフ方法において、
周囲の明るさを検出する明るさ検出工程と、
予め設定したタイマー時間で電源をオフ動作させるタイマー管理工程と、
放送番組の番組情報を受信する受信工程と、
前記明るさ検出工程で検出した明るさが所定の明るさ以下になり、現在視聴中の番組情報として所定の番組情報が検知されたとき前記タイマー管理工程の動作を開始する制御工程を備えたことを特徴とする電源オフ方法。
【発明の詳細な説明】
【技術分野】
【０００１】
本発明は、放送受信装置及び放送受信装置における電源オフ方法に係り、特に就寝のときに設定する放送受信装置のスリープモードによる電源オフ方法に関するものである。本発明のスリープモードとは、予め決められた放送番組(以下、スリープモードが設定された番組という)をユーザが放送受信装置で視聴中に就寝したときでも放送受信装置の電源を自動的にオフすることができる機能である。
【背景技術】
【０００２】
従来の放送受信装置のスリープモードは、ユーザが放送受信装置で放送番組(以下、番組という)を視聴している部屋が予め設定しておいた明るさとなり、またそのときから一定の時間(以下タイマー時間という)が経過したときに放送受信装置の電源をオフすることで、ユーザーが番組を視聴している間に就寝しても放送受信装置の電源を自動的にオフすることができる。例えば、特許文献１に開示の技術では、周囲の明るさを検知する光センサーにより周囲が暗くなったことが検出されると、予め設定した所定時間が経過したかを監視する機能が開始される。また、所定時間が経過するまでの間、放送受信装置の音量と表示部の明るさを段階的に低下させ、また所定時間間隔でユーザに所定時間が経過中であることを通知するＯＳＤ（On Screen Display）表示が行われる。そして所定時間が経過したときに、放送受信装置の電源が自動的にオフされる放送受信装置における電源オフ方法を提供するようにしている。
【０００３】
【特許文献１】特開２００６−１２９０４７号公報
【発明の開示】
【発明が解決しようとする課題】
【０００４】
しかしながら、ユーザが番組を視聴している部屋が予め設定しておいた明るさ（以下、明るさ検出基準値という）より暗くなってから設定したタイマー時間が経過したときに、放送受信装置の電源を自動的にオフしてしまうと、ユーザが周囲を暗くして番組を視聴している場合でも、放送受信装置の電源がオフされてしまうという問題があった。このため、ユーザは放送受信装置をスリープモードにして就寝したいときは、就寝前にスリープモードを毎回設定する必要があった。しかし、就寝前に毎回スリープモードを設定するのは面倒であるという問題があった。
【０００５】
本発明の目的は、明るさの検出基準値とタイマー時間をユーザが決定することができ、更に明るさ検出基準値に達したときにユーザが現在視聴している番組や番組の分類(以下、ジャンルという)にスリープモードが設定されていればタイマー時間の経過で電源をオフすることで、就寝前に毎回スリープモードを設定することなく、常に放送受信装置をスリープモードに設定しておくことができる放送受信装置及び放送受信装置における電源オフ方法を提供することである。
【課題を解決するための手段】
【０００６】
本発明の放送受信装置は、予め設定した時間で電源をオフ動作させるスリープモードが設定可能な放送受信装置において、周囲の明るさを検出する明るさ検出手段と、予め設定したタイマー時間で電源をオフ動作させるタイマーと、放送番組の番組情報を受信する受信手段と、前記明るさ検出手段で検出した明るさが所定の明るさ以下になり、現在視聴中の番組情報として所定の番組情報が検知されたとき前記タイマーの動作を開始する制御手段を備えたことを特徴としている。
また、本発明の放送受信装置の前記制御手段は、番組にスリープモードを設定することができる番組スリープモード設定手段と、視聴されている番組にスリープモードが設定されているかを判定する番組スリープモード設定判定手段を備え、前記明るさ検出手段により周囲が所定の明るさ以下となり、且つ前記番組スリープモード設定判定手段により前記スリープモードが設定されている番組が視聴されているときに、前記タイマーの経過時間が前記タイマー時間に達したとき電源をオフすることを特徴としている。
また、本発明の放送受信装置の前記制御手段は、番組のジャンルにスリープモードを設定することができる番組ジャンルスリープモード設定手段と、視聴されている番組のジャンルにスリープモードが設定されているかを判定する番組ジャンルスリープモード設定判定手段を備え、前記明るさ検出手段により周囲が所定の明るさ以下となり、且つ前記番組ジャンルスリープモード設定判定手段により前記スリープモードが設定されている番組のジャンルが視聴されているときに、前記タイマーの経過時間が前記タイマー時間に達したとき電源をオフすることを特徴としている。
また、本発明の放送受信装置の前記制御手段は、外部装置にスリープモードを設定することができる外部装置スリープモード設定手段と、外部接続され映像再生している外部装置にスリープモードが設定されているかを判定する外部装置スリープモード設定判定手段を備え、前記明るさ検出手段により周囲が所定の明るさ以下となり、且つ外部接続された映像再生中の前記外部装置にスリープモードが設定されていると判定されたときに、前記タイマーの経過時間が前記タイマー時間に達したとき電源をオフすることを特徴としている。
また、本発明の放送受信装置は、前記明るさ検出手段で検出した明るさが所定の明るさ以下になったとき、前記スリープモードが設定されていないときは、視聴されている番組または外部接続された映像再生が終了するときに電源オフすることを特徴としている。
また、本発明の放送受信装置は、前記タイマーを開始するかを設定するスリープモード移行確認設定手段を備えたことを特徴としている。
また、本発明の放送受信装置は、予め決められた所定の時間以内において前記スリープモード移行確認設定手段に前記タイマーを開始する設定がされたとき、または予め決められた所定の時間以内に前記タイマーを開始する設定がされないときに、前記タイマーを開始することを特徴としている。
また、本発明の放送受信装置は、予め決められた所定の時間以内において前記スリープモード移行確認設定手段に前記タイマーを開始しない設定がされたときは、視聴されている番組または外部接続された映像再生が終了するときに電源オフすることを特徴としている。
また、本発明の放送受信装置は、前記タイマーをキャンセルするキャンセル手段を備え、
前記タイマーを前記キャンセル手段によりキャンセルすることで、前記タイマーの経過時間が前記タイマー時間に達したときでも電源をオフしないことを特徴としている。
また、本発明の放送受信装置は、前記キャンセル手段により前記タイマーがキャンセルされたときは、視聴されている番組または外部接続された映像再生が終了するときに電源オフすることを特徴としている。
また、本発明の放送受信装置は、視聴されている番組または外部接続された映像再生が終了するときに、電源オフするかを設定する電源オフ確認設定手段を備えたことを特徴としている。
また、本発明の放送受信装置は、予め決められた所定の時間以内に前記電源オフ確認設定手段に電源オフを行う設定がされたとき、または予め決められた所定の時間以内に電源オフを行う設定がされないときは、視聴されている番組または外部接続された映像再生が終了したときに、電源オフを行うことを特徴としている。
また、本発明の放送受信装置は、予め決められた所定の時間以内に前記電源オフ確認設定手段に電源オフを行わない設定がされたときは、視聴されている番組または外部接続された映像再生が終了の後に視聴されている番組または外部接続された映像再生が終了したときに電源オフを行うかを確認することを特徴としている。
また、本発明の電源オフ方法は、予め設定した時間で電源をオフ動作させるスリープモードが設定可能な放送受信装置の電源オフ方法において、周囲の明るさを検出する明るさ検出工程と、予め設定したタイマー時間で電源をオフ動作させるタイマー管理工程と、放送番組の番組情報を受信する受信工程と、前記明るさ検出工程で検出した明るさが所定の明るさ以下になり、現在視聴中の番組情報として所定の番組情報が検知されたとき前記タイマー管理工程の動作を開始する制御工程を備えたことを特徴としている。
【発明の効果】
【０００７】
本発明によれば、ユーザが番組を視聴している部屋が予め設定しておいた明るさである明るさ検出基準値以下に達したときに、ユーザが現在視聴している番組や番組のジャンルにスリープモードが設定されていればタイマー時間の経過で電源をオフすることができる放送受信装置及び放送受信装置における電源オフ方法を提供することができる。
【発明を実施するための最良の形態】
【０００８】
以下、本発明の実施形態について図面を参照して説明する。
（第１の実施の形態）
本発明の第１の実施形態は、明るさの検出基準値、番組のスリープモード、タイマー時間を設定することができ、更に明るさ検出基準値以下に達したときにユーザがスリープモードを設定した番組を視聴していればタイマー時間の経過で電源をオフし、またユーザがスリープモードを設定した番組を視聴していなければ、番組の終了で電源をオフする設定であるかを確認し、番組の終了で電源をオフする設定であれば番組の終了で電源をオフする実施形態である。図1は、本発明の第１の実施形態である放送受信装置の主要な構成を示す機能ブロック図である。この放送受信装置１は、映像及び音声からなる番組と番組情報とを各放送局から受信する。また、放送受信装置１は、スリープモード設定やスリープモード処理の管理機能を備えている。
【０００９】
図１の放送受信装置１は、アンテナ２で受信された放送電波を映像信号及び音声信号に変換し、ＴＶモニター３はこれら映像信号及び音声信号に基づき映像及び音声を出力する。ユーザはリモコン４を用いて放送受信装置１を遠隔操作して、放送受信装置１の電源オンオフ操作や視聴する番組のチャンネル選択を行うことができる。更にユーザはリモコン４を用いてスリープモードの設定、スリープモードのキャンセルを放送受信装置１に行わせることができる。この映像表示装置１には周囲の明るさのレベルを測定する光センサー５(明るさ検出手段)が接続されている。また、この映像表示装置１にはパソコンや外部記憶装置（ＤＶＤ、ビデオ装置、ＨＤＤ（ハードディスク）、半導体メモリなど）などの外部装置６が接続可能である。
【００１０】
以下、図１の放送受信装置１の構成について説明する。
【００１１】
図１に示すデジタルチューナ１１(受信手段)は、アンテナ２にて受信される放送電波を復調してトランスポートストリームパケット（ＴＳパケット）を出力する。デジタルチューナ１１はこれらの放送電波を適宜選択的に復調してＴＳパケットをＴＳデコーダ(ＤeＭｕｘ処理部)１２に出力する。ＴＳデコーダ１２は、このＴＳパケットから所望の番組に関する映像データ及び音声データを抽出する。抽出された映像データ及び音声データは、ＭＰＥＧ−２によって符号化されているデジタルデータである。音声処理部１３は符号化された音声データを復号化し、また、映像処理部１４は符号化された映像データを復号化する。さらに、ＴＳパケットには番組情報が含まれており、ＴＳデコーダ１２はＴＳパケットから番組情報を抽出する。
【００１２】
表示処理部１５は、映像処理部１４にて復号化された映像データに、ＯＳＤ処理部１６にて生成されるＯＳＤ表示のためのデータを表示処理部１５で重ね合わせた後、その重ね合わせ後の映像データをテレビ信号に変換してＴＶモニタ３に出力する。このＯＳＤ表示には、スリープモード設定画面、電子番組表の表示等が含まれる。音声処理部１３にて復号化された音声データを基に、ＴＶモニタ３に設けられたスピーカから音声が出力される。
【００１３】
制御部１７(制御手段)は、ユーザによるリモコン４の操作に基づき放送チャンネルを切り替えながら、これら各部１１〜１６の動作を制御するようになっている。加えて、制御部１７には、スリープモードの設定や処理の管理を行うスリープモード管理処理部２６が設けられている。制御部１７は、リモコン受信部２０から、電源オンオフ、スリープモード設定、電子番組表の表示、表示した電子番組表からスリープモード設定の操作を受け付け処理等をすることができる。メモリ１８は制御部１７の実行するプログラムやこのプログラムにて用いられるデータを一時的に記憶し、また放送受信装置１の基本機能を実現するためのプログラムを記憶している。ＨＤＤ１９は、ＴＳデコーダ１２にて抽出された番組情報、制御部１７が実行するプログラム、及びスリープモード設定のデータ等を記憶するハードディスクドライブである。
【００１４】
リモコン４は、図２に示すようにリモコン４に設けられた操作ボタンに対するユーザの操作に応じて赤外線による操作信号を送信し、リモコン受信部２０はこの操作信号を受信すると制御部１７に出力する。光センサ受信部２１は、光センサ５が測定したレベルを受信し、制御部１７に出力する。通信インタフェース部２２は、パソコンや外部記憶装置（ＤＶＤ、ビデオ装置、ＨＤＤ（ハードディスク）、半導体メモリなど）などの外部装置６との間で、映像信号及び音声信号をやり取りするためのインタフェースである。電源２３は、電源が必要な箇所へ電源を供給する装置であり、電源制御部２４により電源の供給が制御される。以上の各部１１〜２４はシステムバス２５により接続されている。
【００１５】
図２は本発明の第１の実施形態であるリモコン４の操作ボタンの概略配置を示したリモコン４の外観図である。ユーザがこれら操作ボタンのいずれかを押下し操作すると、放送受信装置１はその操作信号を受信し操作ボタンに応じた動作を行う。電源ボタン４１は放送受信装置１の電源をオン及びオフするためのボタンである。画面表示ボタン４２は選択した番組のチャンネル番号の表示操作やスリープモード設定画面の表示操作を行なうためのボタンである。スリープボタン４３はスリープモード設定画面を表示するときに画面表示ボタン４２の前に押下するボタンである。キャンセルボタン４４は操作のキャンセルやスリープモードによるタイマー時間の経過で電源をオフする設定のキャンセルボタンで、スリープモード設定をキャンセルするときは、スリープボタン４３を押下した後に押下するボタンである。チャンネルボタン４５はユーザが視聴する番組のチャンネルを選択するためのボタンであり、またスリープモードを設定するときに確認画面表示時間やタイマー時間を入力するためのボタンである。番組表ボタン４６は、電子番組表を表示させる番組表ボタンである。スリープモード設定を行っているときに電子番組表を表示し、番組を選択してから決定ボタン４８を押下すると選択された番組にスリープモードが設定される。カーソル移動ボタン４７ａ〜４７ｄはＴＶモニター３にＯＳＤ表示された選択項目を選択するためのカーソルを上下左右へと移動させるためのボタンである。決定ボタン４８はこのような選択項目を確定するためのボタンである。
【００１６】
図３は、本発明の第１の実施形態であるスリープモード設定画面のフォーマットである。図４は、本発明の第１の実施形態であるスリープモード設定画面から設定されたデータを記憶するスリープモード設定データの構成図である。スリープモード設定画面は、リモコン４のスリープボタン４３を押下した後に画面表示ボタン４２を続けて押下すると、ＴＶモニタ３にＯＳＤ表示される画面である。図３に示す本発明の第１の実施形態であるスリープモード設定画面の設定方法について以下説明する。
【００１７】
スリープモードの設定については、スリープモード設定画面の設定順序に従って設定する。まず「１．明るさ検出基準値を明るさ検出基準値設定画面から決定して下さい。」 により、「明るさ検出基準値を明るさ検出基準値設定画面の表示」をカーソルで選択し決定ボタン４８を押下する。決定ボタン４８の押下により、図５に示す明るさ検出基準値設定画面（１）が表示され、ユーザは明るさ検出基準値設定画面（１）の指示に従い、部屋の明るさをテレビを見るときの明るさにして決定ボタン４８を押下する。制御部１７のスリープモード管理処理部２６は、光センサー５が測定した明るさのレベル値ａを光センサー受信部２１から入力する。次に、５秒程待つと、図６に示す明るさ検出基準値設定画面（２）が表示されるので、ユーザは明るさ検出基準値設定画面（２）の指示に従い、部屋の明るさを就寝するときの明るさにして決定ボタン４８を押下する。制御部１７のスリープモード管理処理部２６は、光センサー５が測定した明るさのレベル値ｂを光センサー受信部２１から入力する。スリープモード管理処理部２６は、光センサー５が測定したレベル値のａとｂから下記の計算を行い、計算結果をスリープモード設定データの‘明るさ検出基準値’に記憶させ、明るさ検出基準値設定画面（２）の表示を消去する。
補正値 ＝ (ａ−ｂ)／１０    ａ：テレビを見るときの明るさのレベル値
ｂ：就寝するときの明るさのレベル値
Ｚ(レベル)  ＝  ｂ＋補正値
なお、この補正値は、就寝時の明るさレベルに対し検出マージンを持たせて誤動作を防ぐために設定されるものである。
【００１８】
次に、ＯＳＤ表示が図３の設定画面に戻るので、「２．確認画面表示時間を設定して下さい。」 により、スリープモード処理がユーザに確認する図７に示すスリープモード移行確認画面と図８に示す電源オフ確認画面からユーザが‘Ｙｅｓ’または‘Ｎｏ’を設定するまでの待ち時間である表示時間(秒)を設定する。スリープモード管理処理部２６は、設定された表示時間(秒)をスリープモード設定データの‘確認画面表示時間(秒)’に記憶する。
【００１９】
「３．番組表からスリープモードを設定しますか？」 により、ユーザが‘Ｙｅｓ’を選択した場合は、スリープモード管理処理部２６は、スリープモード設定データの‘番組表からスリープモード設定の有無’に１を記憶する。次にユーザは「(1)番組表からスリープモードを設定する番組を決定して下さい。」により、ユーザはリモコン４の番組表ボタン４６を押下すると、電子番組表がＴＶモニター３に表示される。ユーザは、カーソル移動ボタン４７ａ〜４７ｄで番組を選択し決定ボタン４８を押下すると、スリープモード管理処理部２６は、スリープモード設定データの‘番組ＩＤ(番組識別番号)’にユーザが決定した番組の番組ＩＤを記憶する。次にユーザは「（２)タイマー時間を設定して下さい。」により、明るさ検出基準値から電源をオフするまでの時間であるタイマー時間を設定すると、スリープモード管理処理部２６は、スリープモード設定データの‘タイマー時間’に設定されたタイマー時間を記憶する。
【００２０】
「３．番組表からスリープモードを設定しますか？」により、ユーザが‘Ｎｏ’を選択した場合は、スリープモード管理処理部２６は、スリープモード設定データの‘番組表からスリープモード設定の有無’に０を記憶する。次にユーザは「番組終了で電源をオフしますか？」により、ユーザが‘Ｙｅｓ’を選択した場合は、スリープモード管理処理部２６は、スリープモード設定データの‘番組終了で電源オフの有無’に１を記憶し、ユーザが‘Ｎｏ’を選択した場合は、スリープモード管理処理部２６は、スリープモード設定データの‘番組終了で電源オフの有無’に０を記憶する。
【００２１】
「４．スリープモードを開始しますか？」 により、ユーザが‘Ｙｅｓ’を選択した場合は、スリープモード管理処理部２６はスリープモード処理を開始し、スリープモード設定画面の表示を消去する。「４．スリープモードを開始しますか？」により、ユーザが‘Ｎｏ’を選択した場合は、スリープモード管理処理部２６はスリープモード処理を開始せずに、スリープモード設定画面の表示を消去する。
【００２２】
図９は、本発明の第１の実施形態における、スリープモード処理の流れを示すフローチャートである。図９のフローチャートに示すステップ順に基づいて以下説明する。
【００２３】
スリープモード処理は、図３に示すスリープモード設定画面の「４．スリープモードを開始しますか？」 により、ユーザが‘Ｙｅｓ’を選択した場合にスリープモード管理処理部２６が開始する。
【００２４】
(ステップａ１)
スリープモード管理処理部２６によりスリープモード処理が開始されると、スリープモード管理処理部２６は光センサー５が測定したレベルを光センサー受信部２１から入力し、入力した光センサーのレベルが図４に示すスリープモード設定データの‘明るさ検出基準値Ｚ’以下であるかをチェックする。
【００２５】
(ステップａ２)
ステップａ１において入力した光センサーのレベルが明るさ検出基準値Ｚ以下と判定されたときはステップａ２に進み、スリープモード管理処理部２６は、通信インタフェース部２２が外部装置６から映像信号及び音声信号を入力し、ＴＶモニター３に画面を表示しているかチェックする。
【００２６】
(ステップａ３)
ステップａ１においてスリープモード設定データの‘明るさ検出基準値Ｚ’を越えているとき、またはステップａ２において外部装置６から映像信号及び音声信号を入力してＴＶモニター３に画面を表示しているときは、ステップａ３に進み、一定時間待ち状態としてステップａ１に戻る。
【００２７】
(ステップａ４)
ステップａ２において外部装置６からの入力によりＴＶモニター３に画面を表示していないときは、スリープモード管理処理部２６は、ＴＳデコーダ１２がＴＳパケットから抽出した番組情報からユーザが現在視聴している番組ＩＤを取り出す。
【００２８】
(ステップａ５)
次にステップａ５に進み、図４に示すスリープモード設定データの‘スリープモード設定の有無’が有りであれば、スリープモード設定データの‘番組ＩＤ’を取り出し、ステップａ４において取り出したユーザが現在視聴している番組ＩＤと同じであるかチェックする。同じであれば、ユーザが現在視聴している番組はスリープモードが設定されている番組となる。
【００２９】
(ステップａ６)
ステップａ５において、ユーザが現在視聴している番組はスリープモードが設定されている番組であると判定されたときは、スリープモード管理処理部２６はタイマー時間が経過したときに電源オフを行う処理であるスリープモードに移行するかをユーザに確認するために、ＯＳＤ処理部１６に図７に示すスリープモード移行確認画面のＯＳＤ表示指令を出力する。ＯＳＤ処理部１６は、スリープモード移行確認画面を生成し、スリープモード移行確認画面を表示処理部１５に出力する。表示処理部１５は、映像処理部１４にて復号化された映像データにＯＳＤ処理部１６にて生成されたスリープモード移行確認画面を重ね合わせ、その重ね合わせた映像をテレビジョン信号に変換してＴＶモニター３に出力して映像表示する。
【００３０】
(ステップａ７)
次にステップａ７に進み、ＯＳＤ表示されたスリープモード確認画面からユーザがリモコン４の操作によりｔ秒以内に‘Ｙｅｓ’を選択したかをチェックするため、スリープモード管理処理部２６は、リモコン受信部２０からｔ秒間以内に該当する信号が出力されたかをチェックする。
【００３１】
(ステップａ８)
ステップａ７において、ユーザがリモコン４の操作によりｔ秒以内に‘Ｙｅｓ’を選択したと判定されたときは、スリープモード管理処理部２６は、スリープモード設定データの‘タイマー時間’を取り出し、現在時刻にタイマー時間を加算して電源オフ時刻を決定する。
【００３２】
(ステップａ９)
次にステップａ９に進み、ユーザがリモコン４からキャンセルを行ったかをチェックするため、スリープモード管理処理部２６は、リモコン受信部２０からキャンセルに該当する信号が出力されたかをチェックする。
【００３３】
(ステップａ１０)
ステップａ９において、ユーザがリモコン４からキャンセルを行っていないと判定されたときは、タイマー時間が経過したかをチェックするために、スリープモード管理処理部２６は現在時刻が電源オフ時刻以上であるかチェックする。
【００３４】
(ステップａ１１)
ステップａ１０において、現在時刻が電源オフ時刻より小さいときは、ステップａ１１に進み、一定時間待ち状態としてステップａ９に戻る。
【００３５】
(ステップａ１２)
ステップａ５においてユーザが現在視聴している番組はスリープモードが設定されている番組でないと判定されたとき、あるいはステップａ７においてＯＳＤ表示されたスリープモード確認画面からユーザがリモコン４の操作によりｔ秒以内に‘Ｎｏ’を設定したと判定されたとき、あるいはステップａ９においてユーザがリモコン４からキャンセルを行ったと判定されたときは、ステップａ１２に進む。ステップａ１２において、スリープモード管理処理部２６は、スリープモード設定データの‘番組終了で電源オフの有無’を取り出し番組終了で電源オフが有りとなっているかをチェックする。番組終了で電源オフが有りでない(無し)と判定されると本処理を終了する。
【００３６】
(ステップａ１３)
ステップａ１２において、番組終了で電源オフ有りと判定されたときは、スリープモード管理処理部２６は、図１０に示す番組終了による電源オフ設定処理を開始する。
【００３７】
(ステップａ１４)
ステップａ１０において現在時刻が電源オフ時刻以上であると判定されたとき、またはステップａ１３の番組終了による電源オフ処理から戻ったときは、ステップａ１４に進み、スリープモード管理処理部２６は、電源制御部２４に放送受信装置１の電源オフを行う指令を行う。指令を受けた電源制御部２４が電源２３の電源オフを行うことで本処理は終了する。
【００３８】
次に、ステップａ１３で処理が開始される「番組終了による電源オフ設定処理」を図１０に示すフローチャートのステップ順に基づいて説明する。図９に示したスリープモード処理のステップａ１２において番組終了で電源オフすると判定されると、図１０に示した「番組終了による電源オフ設定処理」を開始する。
【００３９】
（ステップｂ１）
まず、スリープモード管理処理部２６は、ＴＳデコーダ１２がＴＳパケットから抽出した番組情報からユーザが現在視聴している番組の番組終了時刻を取り出す。
【００４０】
(ステップｂ２)
次に、ステップｂ２に進み番組終了時刻となったかをチェックするために、スリープモード管理処理部２６は現在時刻が番組終了時刻以上であるかチェックする。
【００４１】
（ステップｂ３）
ステップｂ２において現在時刻が番組終了時刻より小さいときは、ステップｂ３に進み、一定時間待ち状態としてステップｂ１に戻る。
【００４２】
(ステップｂ４)
ステップｂ２において、現在時刻が番組終了時刻以上であると判定されたときは、スリープモード管理処理部２６は番組終了時刻となったときに電源をオフするかをユーザに確認するために、ＯＳＤ処理部１６に図８に示す電源オフ確認画面のＯＳＤ表示指令を出力する。ＯＳＤ処理部１６は、電源オフ確認画面を生成し、電源オフ確認画面を表示処理部１５に出力する。表示処理部１５は、映像処理部１４にて復号化された映像データにＯＳＤ処理部１６にて生成された電源オフ確認画面を重ね合わせ、その重ね合わせた映像をテレビジョン信号に変換してＴＶモニター３に出力して映像表示する。
【００４３】
(ステップｂ５)
次にステップｂ５に進み、ＯＳＤ表示された電源オフ確認画面からユーザがリモコン４の操作によりｔ秒以内に‘Ｙｅｓ’を選択したか、または何も選択されなかったかをチェックするため、スリープモード管理処理部２６は、リモコン受信部２０からｔ秒間以内にＹｅｓの信号が出力されたか、または信号は出力されていないかをチェックする。スリープモード管理処理部２６は、ｔ秒間以内にＹｅｓの信号がリモコン受信部２０から出力されているか、または信号が出力されていなければ、図９に示すスリープモード処理のステップａ１４に戻る。また、ユーザがリモコン４の操作によりｔ秒以内に‘Ｎｏ’を選択することで、ｔ秒以内にＮｏの信号がリモコン受信部２０から出力されていれば、スリープモード管理処理部２６はステップｂ１に戻る。
【００４４】
このような第１の実施形態によれば、明るさの検出基準値とタイマー時間をユーザが決定することができ、更に明るさ検出基準値に達したときにユーザが現在視聴している番組にスリープモードが設定されていればタイマー時間の経過で電源をオフすることで、就寝前にスリープモードを設定することなく、常に放送受信装置をスリープモードに設定しておくことができる放送受信装置及び放送受信装置における電源オフ方法を提供することができる。
【００４５】
（第２の実施の形態）
本発明の第２の実施形態は、第１の実施形態が番組にスリープモードが設定できるのに対して、番組のジャンルでスリープモードが設定できる実施形態である。例えば、スポーツ番組、ドラマ、映画などの番組のジャンル毎にスリープモードを設定することができる実施形態である。第２の実施形態の放送受信装置の機能ブロック図、リモコンの操作ボタンの概略配置の外観図は、第１の実施形態と同じである。
【００４６】
図１１は、本発明の第２の実施形態であるスリープモード設定画面のフォーマットである。図１２は、本発明の第２の実施形態であるスリープモード設定画面から設定されたデータを記憶するスリープモード設定データの構成図である。スリープモード設定画面は、リモコン４のスリープボタン４３を押下した後に画面表示ボタン４２を続けて押下すると、ＴＶモニタ３にＯＳＤ表示される画面である。
【００４７】
図１１に示す本発明の第２の実施形態であるスリープモード設定画面の設定方法について以下説明する。スリープモード設定画面の設定方法は、スリープモード設定画面の設定順序に従って設定するようになっている。図１１に示すスリープモード設定画面の「３.(1)スリープモードを設定するジャンルの○をチェックして下さい。」の項目と設定されたデータが図１２に示すスリープモード設定データに記憶される以外は、図３に示す第１の実施形態のスリープモード設定画面のフォーマットと同じである。以下、「３．番組表のジャンルからスリープモードを設定しますか？」でユーザが‘Ｙｅｓ’を選択し、「３．(1)スリープモードを設定するジャンルの○をチェックして下さい。」について説明する。
【００４８】
「３．番組表のジャンルからスリープモードを設定しますか？」 により、ユーザが‘Ｙｅｓ’を選択した場合は、スリープモード管理処理部２６は、スリープモード設定データの‘番組表のジャンルからスリープモード設定の有無’に１を記憶する。次にユーザは「(1)スリープモードを設定するジャンルの○をチェックして下さい。」により、ユーザがスリープモードを設定るジャンルの○をチェックするとチェックした○は●となり、スリープモード管理処理部２６は、スリープモード設定データの‘該当ジャンル’に１を記憶する。
【００４９】
本発明の第２の実施形態におけるスリープモード処理の流れを示すフローチャートは、本発明の第１の実施形態における図９に示すスリープモード処理の流れを示すフローチャートのステップａ４とステップａ５以外は同じである。また、図９に示すスリープモード処理の流れを示すフローチャートで参照している図４のスリープモード設定データから図１２のスリープモード設定データに変更される。
【００５０】
本発明の第２の実施形態におけるステップａ４とステップａ５の処理をステップａ４’、ステップａ５’とすると、下記のようになる。
(ステップａ４’)
ステップａ２において外部装置６からＴＶモニター３に画面を表示していないときは、ステップａ４’においてスリープモード管理処理部２６は、ＴＳデコーダ１２がＴＳパケットから抽出した番組情報からユーザが現在視聴している番組のジャンルＩＤを取り出す。
(ステップａ５’)
次にステップａ５’に進み、図１２に示すスリープモード設定データの‘スリープモード設定の有無’が有りであれば、スリープモード設定データの‘ジャンルＩＤ’を取り出し、ステップａ４’において取り出したユーザが現在視聴している番組のジャンルＩＤと同じであるかチェックする。同じであれば、ユーザが現在視聴している番組のジャンルはスリープモードが設定されている番組のジャンルとなる。
【００５１】
このような第２の実施形態によれば、明るさの検出基準値とタイマー時間をユーザが決定することができ、更に明るさ検出基準値に達したときにユーザが現在視聴している番組のジャンルにスリープモードが設定されていればタイマー時間の経過で電源をオフすることで、就寝前にスリープモードを設定することなく、常に放送受信装置をスリープモードに設定しておくことができる放送受信装置及び放送受信装置における電源オフ方法を提供することができる。
【００５２】
上記の実施の形態では、スリープモード管理処理部２６は、通信インタフェース部２２が外部装置６から映像信号及び音声信号を入力し、ＴＶモニター３に画面を表示しているかチェックし、外部装置６からＴＶモニター３に画面を表示しているときは、スリープモードの設定は行わないようにしている。しかし、その他の実施例として、この映像表示装置１にパソコンや外部記憶装置（ＤＶＤ、ビデオ装置、ＨＤＤ（ハードディスク）、半導体メモリなど）などの外部装置６を接続し、接続した装置毎にスリープモードを設定するようにできる。例えば、外部記憶装置のＤＶＤとビデオ装置にスリープモードを設定できるようにすることで、明るさ検出基準値以下になったときにＤＶＤとビデオ装置にスリープモードが設定されていれば、タイマー時間の経過で電源をオフすることができる。このようにすれば、ＤＶＤとビデオ装置を視聴しながら就寝する場合などに好適である。
【００５３】
なお、以上の動作説明で、ステップａ１、ａ１０、ｂ２の判断に＝(等号)を入れないようにした判断も行えることは明らかである。以上実施の形態で具体的に説明したが、これは例示にすぎず、これらを発明の要旨を変更しない範囲で変形して実施できることはいうまでもない。
【産業上の利用可能性】
【００５４】
本発明は、放送受信装置及び放送受信装置における電源オフ方法に好適であるが、放送受信装置及び放送受信装置における電源オフ方法に限られるものではない。
【図面の簡単な説明】
【００５５】
【図１】本発明の放送受信装置の主要な構成を示す機能ブロック図
【図２】本発明のリモコンの操作ボタンの概略配置を示した外観図
【図３】本発明の第１の実施形態であるスリープモード設定画面のフォーマット
【図４】本発明の第１の実施形態であるスリープモード設定データの構成図
【図５】本発明の明るさ検出基準値設定画面（１）の一例を示す図
【図６】本発明の明るさ検出基準値設定画面（２）の一例を示す図
【図７】本発明のスリープモード移行確認画面の一例を示す図
【図８】本発明の電源オフ確認画面の一例を示す図
【図９】本発明の第１の実施形態であるスリープモード処理を示すフローチャート
【図１０】本発明の第１の実施形態である番組終了による電源オフ設定処理を示すフローチャート
【図１１】本発明の第２の実施形態であるスリープモード設定画面のフォーマット
【図１２】本発明の第２の実施形態であるスリープモード設定データの構成図
【符号の説明】
【００５６】
１・・・放送受信装置
２・・・アンテナ
３・・・ＴＶモニター
４・・・リモコン
５・・・光センサー
６・・・外部装置
１１・・・デジタルチューナ
１２・・・ＴＳデコーダ(ＤeＭｕｘ処理部)
１３・・・音声処理部
１４・・・映像処理部
１５・・・表示処理部
１６・・・ＯＳＤ処理部
１７・・・制御部
１８・・・メモリ
１９・・・ＨＤＤ(ハードディスクドライブ)
２０・・・リモコン受信部
２１・・・光センサー受信部
２２・・・通信インターフェース部
２３・・・電源
２４・・・電源制御部
２５・・・システムバス
２６・・・スリープモード管理処理部
４１・・・電源ボタン
４２・・・画面表示ボタン
４３・・・スリープボタン
４４・・・キャンセルボタン
４５・・・チャンネルボタン
４６・・・番組表ボタン
４７ａ・・カーソル移動ボタン(上)
４７ｂ・・カーソル移動ボタン(下)
４７ｃ・・カーソル移動ボタン(左)
４７ｄ・・カーソル移動ボタン(右)
４８・・・決定ボタン
【図１】
2009118336.tif 000003
【図２】
2009118336.tif 000004
【図３】
2009118336.tif 000005
【図４】
2009118336.tif 000006
【図５】
2009118336.tif 000007
【図６】
2009118336.tif 000008
【図７】
2009118336.tif 000009
【図８】
2009118336.tif 000010
【図９】
2009118336.tif 000011
【図１０】
2009118336.tif 000012
【図１１】
2009118336.tif 000013
【図１２】
2009118336.tif 000014